(57)【要約】【課題】  ピックアップエラーやエンボス部同士の嵌まり込みが無く、安定した収納とリールへの巻き取りが可能な電子部品が収納されたエンボスキャリアテープを提供する。【解決手段】  エンボス部のコーナー部に載置棚を有し、コーナー壁の開口寸法がエンボス辺部の開口寸法より大きく、エンボス辺部の縦及び横の載置棚面高さ寸法が電子部品の縦及び横寸法よりそれぞれ大きく、エンボス辺部の載置棚面高さの縦及び横の交点から対角側のコーナー壁下部上端までの寸法が電子部品の縦と横の対角寸法より小さく、且つエンボス辺部は載置棚を有さず、コーナー壁上部の幅寸法がコーナー壁下部の幅寸法より大きく、且つ又エンボス辺部は側壁上部と側壁下部を有し側壁下部の傾斜角は側壁上部の傾斜角より小さく、少なくともエンボス辺部の底部外形寸法がエンボス辺部の開口寸法より大きい、電子部品が収納されたキャリアテープ。【選択図】図６
2005047565.tif 000002
【特許請求の範囲】
【請求項１】
可撓性を有するテープ状物体の長手方向に一定の間隔で配置された電子部品収納用エンボス部を有するエンボスキャリアテープにおいて、エンボス部のコーナー部（１２）にコーナー壁上部（１６）、コーナー壁下部（１８）、及び載置棚（１７）を有し、コーナー壁の開口寸法（ｅ）がコーナー部を除くエンボス辺部（１１）の縦及び横の開口寸法（ａ）より大きく、エンボス辺部（１１）の縦及び横の載置棚面高さ寸法（ｃ）が収納する電子部品の縦及び横の寸法（ｈ）よりそれぞれ大きく、エンボス辺部の載置棚面高さの縦と横の交点から対角側のコーナー壁下部（１８）上端までの寸法（ｄ）が電子部品の縦と横の対角寸法（ｉ）より小さいことを特徴とする電子部品の収納されたエンボスキャリアテープ。
【請求項２】
前記コーナー部のコーナー壁上部（１６）の幅寸法（ｆ）がコーナー壁下部（１８）の幅寸法（ｇ）より大きく、コーナー部を除くエンボス辺部（１１）に載置棚を有しないことを特徴とする請求項１記載の電子部品の収納されたエンボスキャリアテープ。
【請求項３】
前記コーナー部を除くエンボス辺部はフランジ面（１０）から載置棚面高さ位置までの側壁上部（１３）と載置棚面高さ位置から底面（１５）までの側壁下部（１４）を有し、側壁下部の傾斜角（α）が側壁上部の傾斜角（θ）より小さく、少なくともエンボス辺部の縦及び横の底部外形寸法（ｂ）がエンボス辺部の縦及び横の開口寸法（ａ）よりも大きいことを特徴とする請求項１又は２記載の電子部品の収納されたエンボスキャリアテープ。
【発明の詳細な説明】
【技術分野】
【０００１】
本発明は電子部品の包装、及び搬送に用いられる電子部品が収納されたエンボスキャリアテープに関するものである。
【背景技術】
【０００２】
BGA(Ball Grid Array Package)パッケージ等の電子部品の収納に用いられるエンボスキャリアテープは一般に、図３に示す様にエンボス部の側壁に載置棚を設けた形状（例えば特許文献１、特許文献２参照。）、あるいは図４に示す様なエンボス部の側壁に前記電子部品底面の四辺を支持する傾斜面を鉛直面に対して鋭角で交差して底面に連なって形成する形状（例えば特許文献３参照。）で行われていた。
【０００３】
しかしながら、特許文献１や特許文献２に示されるようなエンボス部の側壁に載置棚を設けた形状の場合は、図５に示す様に、リールへの巻き取り時に上層のエンボス部が下層のエンボス部に嵌まり込み易く、安定したリールへの巻き取りが行われず、前記キャリアテープを引き出す際のキャリアテープ切れにつながる事が有った。又、前記電子部品を収納する時には電子部品が回転し、エンボス部中心に安定した収納が行われない場合があり、ピッキングのエラーにつながる事がしばしばあった。更に、電子部品底面の頂点がエンボス部に接触する為、エンボス部表面層が剥がれて、電子部品へのゴミ付着につながる事も有った。
【０００４】
特許文献３に示される様なエンボス部の側壁に前記電子部品底面の四辺を支持する傾斜面を鉛直面に対して鋭角で交差して内底面に連なって形成する形状の場合も、リールへの巻き取り時に上層のエンボス部が下層のエンボス部に嵌まり込み易く、安定したリールへの巻き取りが行われなかった。又、強度及びハンドリング時の安全上の理由で、エンボス部の縦方向及び横方向の側壁が直交するコーナー部には、Ｒ（角の丸み）を設ける必要がある為、比較的角の有る前記電子部品の場合、電子部品底面の頂点がエンボス部のコーナー部に接触することになり、電子部品底面の四辺とエンボス部側壁の傾斜面との間には隙間が生じ、安定したサポート収納が行われなかった。
【特許文献１】特開平０８−１１９３０号公報  図１
【特許文献２】特開平１０−１２００７５号公報  図１
【特許文献３】特開２０００−３３９６９号公報  図１
【発明の開示】
【発明が解決しようとする課題】
【０００５】
本発明は、従来問題となっていたピッキングエラーやエンボス部同士の嵌まり込み等の無い、安定した電子部品の収納とリールへの巻き取りが可能な電子部品収納用エンボスキャリアテープを提供するものである。
【課題を解決するための手段】
【０００６】
本発明は、
＜１＞可撓性を有するテープ状物体の長手方向に一定の間隔で配置された電子部品収納用エンボス部を有するエンボスキャリアテープにおいて、エンボス部のコーナー部（１２）にコーナー壁上部（１６）、コーナー壁下部（１８）、及び載置棚（１７）を有し、コーナー壁の開口寸法（ｅ）がコーナー部を除くエンボス辺部（１１）の縦及び横の開口寸法（ａ）より大きく、エンボス辺部（１１）の縦及び横の載置棚面高さ寸法（ｃ）が収納する電子部品の縦及び横の寸法（ｈ）よりそれぞれ大きく、エンボス辺部の載置棚面高さの縦と横の交点から対角側のコーナー壁下部（１８）上端までの寸法（ｄ）が電子部品の縦と横の対角寸法（ｉ）より小さいことを特徴とする電子部品の収納されたエンボスキャリアテープ、
＜２＞前記コーナー部のコーナー壁上部（１６）の幅寸法（ｆ）がコーナー壁下部（１８）の幅寸法（ｇ）より大きく、コーナー部を除くエンボス辺部（１１）に載置棚を有しないことを特徴とする＜１＞記載の電子部品の収納されたエンボスキャリアテープ、
＜３＞前記コーナー部を除くエンボス辺部はフランジ面（１０）から載置棚面高さ位置までの側壁上部（１３）と載置棚面高さ位置から底面（１５）までの側壁下部（１４）を有し、側壁下部の傾斜角（α）が側壁上部の傾斜角（θ）より小さく、少なくともエンボス辺部の縦及び横の底部外形寸法（ｂ）がエンボス辺部の縦及び横の開口寸法（ａ）よりも大きいことを特徴とする＜１＞又は＜２＞記載の電子部品の収納されたエンボスキャリアテープ、
である。
【発明の効果】
【０００７】
本発明によると、電子部品がコーナー部の載置棚から脱落することなくエンボス部の中心に安定して収納でき、またエンボス部の底面が電子部品と接触しないのでゴミ付着のない、更にまた上層のエンボス部が下層のエンボス部に嵌まり込まないのでリールへの巻き取りが安定して行える、電子部品の収納されたエンボスキャリアテープが得られる。
【発明を実施するための最良の形態】
【０００８】
以下、本発明の一実施例を示す図１に基づいて説明する。
本発明は、BGA(Ball Grid Array Package)パッケージ等の電子部品（２）の収納に用いられるエンボスキャリアテープ（１）であり、エンボス部のコーナー部（１２）を除くエンボス辺部の縦及び横の開口寸法（ａ）より大きい開口寸法（ｅ）コーナー壁上部（１６）と載置棚（１７）を有し、載置棚（１７）の下部にコーナー壁下部（１８）を有する。コーナー壁のエンボス辺部の縦及び横の載置棚面高さ寸法（ｃ）が電子部品の縦及び横の寸法（ｈ）よりそれぞれ大きく、エンボス辺部の載置棚面高さの縦と横の交点から対角側のコーナー壁下部（１８）上端までの寸法（ｄ）を電子部品の縦と横の対角寸法（ｉ）より小さくすることにより、エンボス部のコーナー部（１２）及び底面（１５）が電子部品（２）と接触しない形状である為、電子部品（２）の載置棚（１７）からの脱落を防止でき、安定挿入及びピックアップが容易に行える。
また、前記エンボス部のコーナー部（１２）は、コーナー壁上部（１６）の幅寸法（ｆ）をコーナー壁下部（１８）の幅寸法（ｇ）より大きくすることで、コーナー部を除くエンボス辺部（１１）に載置棚を有しないことが可能となり、比較的角のある電子部品の場合でも電子部品（２）が傾かない為、電子部品挿入後のカメラ等による画像処理検査も容易に行える。
更にまた、前記コーナー部（１２）を除くエンボス辺部はフランジ面（１０）から載置棚面高さ位置までの側壁上部（１３）と載置棚面高さ位置から底面までの側壁下部（１４）を有し、側壁下部の傾斜角（α）を側壁上部の傾斜角（θ）より小さくし、少なくともエンボス辺部の縦及び横の底部外形寸法（ｂ）をエンボス辺部の縦及び横の開口寸法（ａ）よりも大きくすることにより、図２に示す様に、リールへの巻き取り時に上層のエンボス部が下層のエンボス部に嵌まり込む現象を防止できる。
【産業上の利用可能性】
【０００９】
以上のように本発明によると、電子部品、特にはBGA(Ball Grid Array Package)パッケージ等の電子部品の収納に好適なエンボスキャリアテープが得られる。
【図面の簡単な説明】
【００１０】
【図１】本発明の一実施例であるエンボスキャリアテープの平面図、側断面図及び底面図である。
【図２】本発明の一実施例であるエンボスキャリアテープのエンボス部の重なり（嵌まり込み）状態の側断面図である。
【図３】従来の電子部品収納用エンボスキャリアテープの一例を示す平面図及び側断面図である。
【図４】従来の電子部品収納用エンボスキャリアテープの他の例を示す平面図及び側断面図である。
【図５】従来の電子部品収納用エンボスキャリアテープのエンボス部の重なり（嵌まり込み）状態の側断面図である。
【図６】本発明の一実施例であるエンボスキャリアテープの斜視図である。
【符号の説明】
【００１１】
１    エンボスキャリアテープ
２    電子部品
１０  フランジ面
１１  エンボス辺部
１２  コーナー部
１３  側壁上部
１４  側壁下部
１５  底面
１６  コーナー壁上部
１７  載置棚
１８  コーナー壁下部
α    側壁下部の傾斜角
θ    側壁上部の傾斜角
ａ    エンボス辺部の縦及び横の開口寸法
ｂ    エンボス辺部の縦及び横の底部外形寸法
ｃ    エンボス辺部の縦及び横の載置棚面高さ寸法
ｄ    エンボス辺部の載置棚面高さの縦と横の交点から対角側のコーナー壁下部上端までの寸法
ｅ    コーナー壁の開口寸法
ｆ    コーナー壁上部の幅寸法
ｇ    コーナー壁下部の幅寸法
ｈ    電子部品の縦及び横の寸法
ｉ    電子部品の縦と横の対角寸法
【図１】
2005047565.tif 000003
【図２】
2005047565.tif 000004
【図３】
2005047565.tif 000005
【図４】
2005047565.tif 000006
【図５】
2005047565.tif 000007
【図６】
2005047565.tif 000008